(57)【要約】【課題】ミラーを入浴者に近い位置に容易に取り付けできてその使い勝手を十分に向上させると共に、ミラー裏面の空間を収納空間として有効利用し収納棚の使い勝手の向上とその見栄えの向上を同時に図り得る浴室のミラーパネルを提供する。【解決手段】ミラーパネルのパネル本体に、ミラーをパネル本体前面から所定高さ浮いた状態で取り付けると共にその側方に棚板部材を延設し得るミラー取付部を一体形成したことを特徴とする。前記ミラー取付部は、例えば水平な平板状に形成されてその上面が棚板部材の機能を有したり、その幅方向の端部に棚板部材の端部が面一状態で係合する係合部を有する、また、前記ミラー取付部は、その幅方向の棚板部材の反延設側端部に排水溝を有する落下防止壁が設けられる。【選択図】  図５
2004242869.tif 000002
【特許請求の範囲】
【請求項１】
浴室の壁面に組み付けられその前面にミラーが取り付けられる浴室のミラーパネルであって、
前記ミラーパネルのパネル本体に、ミラーをパネル本体前面から所定高さ浮いた状態で取り付けると共にその側方に棚板部材を延設し得るミラー取付部を一体形成したことを特徴とする浴室のミラーパネル。
【請求項２】
前記ミラー取付部は、水平な平板状に形成されてその上面が前記棚板部材の機能を有することを特徴とする請求項１に記載の浴室のミラーパネル。
【請求項３】
前記ミラー取付部は、その幅方向の端部に前記棚板部材の端部が面一状態で係合する係合部を有することを特徴とする請求項１または２に記載の浴室のミラーパネル。
【請求項４】
前記ミラー取付部は、その幅方向の棚板部材の反延設側端部に排水溝を有する落下防止壁が設けられていることを特徴とする請求項１ないし３のいずれかに記載の浴室のミラーパネル。
【請求項５】
前記ミラー取付部は、パネル本体に上下方向における中心線に対して対称形状に複数形成され、その上下端部のミラー取付部がミラー以外の他の付帯器具の取付機能を有することを特徴とする請求項１ないし４のいずれかに記載の浴室のミラーパネル。
【発明の詳細な説明】
【０００１】
【発明の属する技術分野】
本発明は、例えばシステムバスルーム等の浴室の洗い場側の壁面に組み付けられ、その前面にミラー等が取り付けられる浴室のミラーパネルに関する。
【０００２】
【従来の技術】
従来、この種のミラーパネルとしては、例えば特許文献１に示すものが知られている。このミラーパネルは、幅方向の両端部に張出部を設けると共に幅方向の略中央部分に窪み部を設け、反浴槽側の張出部に収納棚を一体形成し、窪み部内にミラーを傾斜状態で直接取り付けるようにしたものである。
【０００３】
【特許文献１】
特開２００１−３５２４５号公報
【０００４】
【発明が解決しようとする課題】
しかしながら、この特許文献１に開示のミラーパネルにあっては、ミラーが洗い場方向に向けて傾斜した状態でかつ窪み部内に直接取り付けられていることから、ミラーの傾斜角度によって洗い場におけるミラーに見易さが得られるものの、ミラーが窪み部内に位置した状態となるため、洗い場に座っている入浴者に対してミラーが遠い位置となり、ミラーの使い勝手を十分に向上させることが難しいという問題点を有している。
【０００５】
また、ミラーパネルの幅方向の窪み部内にミラーが直接取り付けられているため、ミラーパネルに形成される収納棚がこのミラーの側方の張出部に設けられる状態となり、収納棚自体の容積を十分に確保することが困難であると共に、収納棚に収容された収納物が全て洗い場の入浴者から視認される状態となり、見栄えが劣る場合があるという問題点を有している。
【０００６】
さらに、ミラーパネルの反浴槽側端部に収納棚が一体形成され窪み部内にミラーが直接取り付けられているため、ミラーパネルに対する収納棚の位置が正面視で右側に限定されてしまい、ミラーパネルの左側に浴槽が位置するレイアウトの浴室には適用できるものの、浴槽がミラーパネルの右側に位置するレイアウトの浴室には適用できないという問題点も有している。
【０００７】
本発明は、このような事情に鑑みてなされたもので、その目的は、ミラーを入浴者に近い位置に容易に取り付けできてその使い勝手を十分に向上させると共に、ミラー裏面の空間を収納空間として有効利用し収納棚の使い勝手の向上とその見栄えの向上を同時に図り得る浴室のミラーパネルを提供することにある。また、他の目的は、前記目的に加え、収納棚を有した状態でもこの収納棚の位置等の各種レイアウトの浴室に容易に適用し得る浴室のミラーパネルを提供することにある。
【０００８】
【課題を解決するための手段】
かかる目的を達成するために、本発明のうち請求項１に記載の発明は、浴室の洗い場側の壁面に組み付けられその前面にミラーが取り付けられる浴室のミラーパネルであって、前記ミラーパネルのパネル本体に、ミラーをパネル本体前面から所定高さ浮いた状態で取り付けると共にその側方に棚板部材を延設し得るミラー取付部を一体形成したことを特徴とする。
【０００９】
このように構成することにより、浴室の洗い場側の壁面に例えば一体的に組み付けられるミラーパネルのパネル本体には、所定高さのミラー取付部が一体形成され、このミラー取付部にミラーが取り付けられると共に収納棚の棚板部材が延設される。これにより、パネル本体に一体形成されたミラー取付部にミラーを取り付けるだけで、ミラー取付部の高さ分だけミラーをパネル本体から浮かせた状態で取り付けでき、ミラーを洗い場の入浴者に近い位置に設定できて、ミラーの使い勝手の十分な向上が図れる。また同時に、ミラー取付部に棚板部材が延設されることから、ミラー裏面の空間を収納スペースとして有効利用できて、収納棚のスペースを増大させてその使い勝手の向上を図ると共に、常に使用しない収納物をミラー裏面の棚板部材上等に隠して収納でき、収納棚の見栄えの向上も図れる。
【００１０】
そして、前記ミラー取付部は、請求項２に記載の発明のように、水平な平板状に形成されてその上面が前記棚板部材の機能を有することが好ましい。このように構成することにより、パネル本体に一体形成される取付部が水平な平板状で棚板部材の機能を有することから、ミラー取付部の面積分だけ収納棚の棚板面積を増大させることができると共に、ミラー裏面の空間を有効利用してミラー取付部の上面に普段使用しない収納物を収納できる等、収納棚の一層の使い勝手の向上が図れる。
【００１１】
また、前記ミラー取付部は、請求項３に記載の発明にように、その幅方向の端部に前記棚板部材の端部が面一状態で係合する係合部を有することが好ましい。
このように構成することにより、ミラー取付部に設けられた係合部に棚板部材の端部が面一状態で載置係合されることから、棚板部材の着脱が簡単となり、棚板部材の取付作業や清掃時のメンテナンス作業等が容易に行える。
【００１２】
また、前記ミラー取付部は、請求項４に記載の発明のように、その幅方向の棚板部材の反延設側端部に排水溝を有する落下防止壁が設けられていることが好ましい。このように構成することにより、ミラー取付部に排水溝を有する落下防止壁が設けられることから、この落下防止壁でミラー取付部上に収納された収納物の収納棚外への落下が防止されると共に、排水溝によってミラー取付部や棚板部材上の水が外部にスムーズに排水される。
【００１３】
また、前記ミラー取付部は、請求項５に記載の発明のように、パネル本体に上下方向における中心線に対して対称形状に複数形成され、その上下端部のミラー取付部がミラー以外の他の付帯器具の取付機能を有することが好ましい。このように構成することにより、パネル本体を垂直面内で１８０度回転させた場合でもミラー取付部を同一位置等に設定できて、例えば、収納棚としての棚板を取付部の左右どちらかに取り付ける構成であっても、パネル本体を垂直面内で１８０度回転させることにより、浴槽がミラーパネルの右側に位置するレイアウトの浴室と浴槽が左側に位置するレイアウトの浴室とに共に適用することができる。また、複数のミラー取付部のうちの上下端部のミラー取付部がミラー以外の例えば水栓操作部等の取付機能を有することから、ミラー取付部に各種付帯器具を専用の取付部材を使用することなく簡単に取り付けできて、その取付作業性の向上やミラーパネル自体のデザイン性の向上等が図れる。
【００１４】
【発明の実施の形態】
以下、本発明の実施の形態を図面に基づいて詳細に説明する。
図１〜図６は、本発明に係わる浴室のミラーパネルの一実施形態を示し、図１が該ミラーパネルを使用した浴室内部の斜視図、図２がミラーパネルの正面図、図３がその断面図、図４がパネル本体の斜視図、図５がミラー取付部の拡大斜視図、図６がパネル本体の他の使用形態を示す斜視図である。
【００１５】
図１において、浴室１は、平面視略方形状の防水パンの周囲を取り囲むように組み付け配置された４枚の壁パネル２ａ〜２ｄ（壁パネル２ｄは図示せず）と、この壁パネル２ａ〜２ｄの上部に組み付け配置された例えばドーム形状の天井パネル３とによって略箱状に形成されている。そして、防水パン上の壁パネル２ａ側には、浴槽４が設置されると共に、この浴槽４の反壁パネル２ａ側の防水パン上には洗い場５が設けられている。
【００１６】
また、洗い場５の壁パネル２ｂ側にはカウンター６が配置され、このカウンター６の上方の壁パネル２ｂには、ミラーパネル７が一体的に組み付けられている。このミラーパネル７の前面（表面）には、例えば楕円形状のミラー８、吐水口９ａを有する水栓操作部９、水栓本体１０、ダウンライト等からなる浴室照明装置１２、複数枚の棚板部材としての棚板１４、１５を有する収納棚１３等が組み込まれている。
【００１７】
すなわち、ミラーパネル７は、図２〜図４に示すように、樹脂成形によって正面視縦長の長方形状に形成されたパネル本体７ａを有し、該パネル本体７ａの幅方向の両端部には前方に所定高さ張り出した張出部１７ａ、１７ｂが一体形成されると共に、幅方向の中央部分には平窪み部１８が一体形成され、その表面形状が平面視で略円弧形状に形成されている。また、パネル本体７の幅方向の中央部分には、上下方向に沿って所定間隔で複数枚（図では５枚）の取付部１９ａ〜１９ｅがパネル本体７ａの成形時に一体形成されている。
【００１８】
この取付部１９ａ〜１９ｅは、それぞれ水平な所定板厚を有する平板状で同一高さに形成され、最上端と最下端に同一形状の取付部１９ａ、１９ｅが形成されると共に、これら取付部１９ａ、１９ｅの間に前記収納棚１３の棚板１４として機能する３枚の同一形状の取付部１９ｂ〜１９ｄが一定間隔で形成されている。
つまり、合計５枚の取付部１９ａ〜１９ｅのうち上下方向の中央の取付部１９ｃが、パネル本体７ａの上下方向（高さ方向）における中心線２７ａ（図４参照）の線上に設定され、この取付部１９ｃから、上下方向に同じ間隔寸法で取付部１９ａ、１９ｄと取付部１９ａ、１９ｅが形成されることにより、上下方向における中心線２７ａに対し、各取付部１９ａ〜１９ｅが対称位置に形成されている。
【００１９】
そして、５枚の取付部１９ａ〜１９ｅのうち、上方の４枚の取付部１９ａ〜１９ｄが本発明のミラー取付部として使用され、図３に示すように、各取付部１９ａ〜１９ｅの先端面に形成されたネジ孔に、ミラー取付板２０がネジ２１で固定されている。このミラー取付板２０に、取付金具２２の凹溝をミラー８の例えば外周縁に係合させて取り付けることにより、ミラー８がミラー取付板２０を介してパネル本体７ａの取付部１９ａ〜１９ｄに取り付けられている。
【００２０】
なお、このミラー８の取付部１９ａ〜１９ｅへの取付構造は、この例に限定されず、例えばミラー係合部が一体形成されたミラー取付板２０を使用して取り付けたり、ミラー取付板２０を４つの取付部１９ａ〜１９ｄの全てにネジ固定することなく、例えば最上端の取付部１９ａと取付部１９ｄのみにネジ固定する等、他の適宜の取付構造を採用することができる。
【００２１】
また、収納棚１３の棚板１４を兼用する３枚の取付部１９ｂ〜１９ｄは、図５に示すように、その上面側の幅方向の左端部上面（及び下面側の左端部下面）に所定寸法突出した落下防止壁２３ａ（及び落下防止壁２３ｂ）が一体形成されると共に、この落下防止壁２３ａ（及び落下防止壁２３ｂ）の後部には、取付部１９ｂ〜１９ｄ上の水を側方に流し落とす排水溝２４ａ（及び排水溝２４ｂ）が形成されている。さらに、取付部１９ｂ〜１９ｄの幅方向の右端部上面（及び右端部下面）には、所定高さの段差からなる係合部２５ａ（及び係合部２５ｂ）が一体形成されている。
【００２２】
これらの落下防止壁２３ａ、２３ｂや排水溝２４ａ、２４ｂ及び係合部２５ａ、２５ｂによって、取付部１９ｂ〜１９ｄが上下方向における中心線２７ａに対し対称形状に設定され、前述した取付部１９ａ〜１９ｅの上下対称位置への形成と併せ、パネル本体７ａをその幅方向と高さ方向の中心である中心位置２６を中心に図４の矢印イ方向に垂直面内で１８０度回転させた場合に、正面から視認した際の取付部１９ａ〜１９ｅの位置が同一位置に設定されると共に、左右方向における中心線２７ｂに対し対称形状に設定されるようになっている。
【００２３】
そして、このように形成された取付部１９ｂ〜１９ｄの例えば各係合部２５ａ上には、前記収納棚１３の各棚板１４の一端部１４ａがそれぞれ載置係合されることにより、棚板１４の上面と取付部１９ｂ〜１９ｄの上面が面一状態に設定されている。これにより、取付部１９ｂ〜１９ｄの上面が棚板１４の機能を兼用し、取付部１９ａ〜１９ｄによりパネル本体７ａの表面から浮くことで形成されるミラー８裏面の空間２７も収納空間として有効利用され、ミラー８外に形成される各棚板１４による収納空間と合せ、パネル本体７ａの表面に比較的広い収納空間が形成されることになる。
【００２４】
なお、収納棚１３の棚板１４は、例えばガラス板や樹脂板によって薄板状に形成され、その先端部が直線状に形成されると共にその後端部がパネル本体７ａの表面形状に略合致する形状に設定されている。また、各棚板１４は、その一端部１４ａが取付部１９ｂ〜１９ｄの係合部２５ａに載置された状態とされ、その他端部１４ｂ（図２参照）は、パネル本体７に取り付けられた支持杆２８に支持されている。この時、棚板１４の他端部１４ｂが支持杆２８の軸方向の係合溝に挿脱可能に係合されると共に、支持杆２８の先端に螺合されたロックナットにより各棚板１４の係合溝からの前方への抜けが防止されるようになっている。
【００２５】
一方、５枚の取付部１９ａ〜１９ｅのうち、最下端の取付部１９ｅは水栓操作部取付用及び棚板取付用として使用される。すなわち、図３に示すように、取付部１９ｅの例えば下面に、水栓操作部９の吐水口９ａを形成する配管が取り付け配設され、この吐水口９ａと取付部１９ｅ自体が図示しない操作部を有する吐水カバー２９によって覆われている。また、吐水口９ａを形成する配管はパネル本体７を裏面側に貫通して上方に配管され、ミラー８の下端部裏面に配設されてその左右両側に切換操作部と温度調整部を有する前記水栓本体１０に連結されている。
【００２６】
そして、この取付部１９ｅの上方で取付部１９ｄとの間のパネル本体７ａには、点検カバー３０が着脱可能に配設され、この点検カバー３０を取り外すことにより、水栓本体１０と吐水口９ａへの配管やそのメンテナンスが可能となるように構成されている。この取付部１９ｅと上下方向において対称位置に設けられた取付部１９ａの下部で取付部１９ｂとの間にも着脱可能な点検カバー３０（図４参照）が配設されている。なお、これらの点検カバー３０は、必ずしも必要ではなく、パネル本体７ａに配管用の孔を穿設して配管等することにより、点検カバー３０を省略することも可能である。
【００２７】
また、下端部の取付部１９ａには、その左右端部に収納棚１３の左右２枚の棚板１５が連結されている。この時、２枚の棚板１５の内側端部の取付部１９ａへの連結構造は、前述した前記取付部１９ｂ〜１９ｄと同様の係合部（図示せず）が取付部１９ａの上下面の端部にそれぞれ形成され、この係合部に棚板１５の内側端部が載置係合されるようになっている。そして、この棚板１５の外側端部は、前述した棚板１４と同様に支持杆２８によってパネル本体７ａの張出部１７ａ、１７ｂに支持されている。
【００２８】
これにより、最下端の取付部１９ｅが水栓操作部取付用に使用され、最上端の取付部１９ａがミラー取付用に使用され、この上下端部の取付部１９ａ、１９ｅも、パネル本体７ａの前記中心位置２６を中心に垂直面内で１８０度回転した際に、同一位置に設定されるようになっている。なお、最下端の取付部１９ｅに対する棚板１５の連結構造は、以上の例に限定されず、例えば取付部１９ｅに係合部等を設けることなく、左右の棚板１５の内側端部を取付部１９ｅの上面に単に載置させたり、棚板１５を左右に２分割することなく、１枚の棚板１５を使用してこの棚板１５の中間部分を取付部１９ｅに単に載置させる構成としても良い。
【００２９】
前記パネル本体７ａの左右の張出部１７ａ、１７ｂには、図４に示すように、略垂直な側面３１ａ、３１ｂが設けられ、この側面３１ａ、３１ｂは、その角部３２のアールが小さく略ピン角となるように設定されている。これにより、側面３１ａ、３１ｂに組み付け配置される壁パネル２ｃ（もしくは壁パネル２ａ）との連結部に大きな隙間が発生しないようになっている。また、図１に示すように、ミラーパネル７には、正面視で左側に位置する浴槽４寄りの張出部１７ａ端部に、例えば下部に曲線部を有するスライドバー３３が上下方向に沿って取り付けられており、このスライドバー３３には、シャワー３４が着脱可能に係止されるシャワーフック３５が上下方向にスライド移動可能に装着されている。
【００３０】
この浴室１のミラーパネル７は、パネル本体７ａの成形時に、張出部１７ａ、１７ｂと窪み部１８が一体形成されると共に、窪み部１８の所定位置に各取付部１９ａ〜１９ｅがそれぞれ一体形成され、この成形されたパネル本体７ａが、浴室１の壁パネル２ｂに適宜の固定手段で固定されることにより壁パネル２ｂに一体的に組み付けられる。そして、このパネル本体７ａに水栓本体１０を取り付け、この水栓本体１０と水栓操作部９とをパネル本体７ａの点検カバー３０を外した状態で配管すると共に、吐水口９ａが取り付けられた取付部１９ｅに吐水カバー２９等を取り付ける。
【００３１】
また、パネル本体７ａの右側の張出部１７ｂの所定位置に支持杆２８を取り付け、この支持杆２８にその一端部１４ａを各取付部１９ｂ〜１９ｄに係合支持させた状態で３枚の各棚板１４の他端部１４ｂをそれぞれ取り付けると共に、下端の取付部１９ｅにその外側端部を支持杆２８で支持させつつ２枚の棚板１５の内側端部をそれぞれ取り付ける。これにより、パネル本体７ａに収納棚１３が形成される。そして、パネル本体７ａに収納棚１３を形成した状態で、取付部１９ａ〜１９ｄに前述したミラー取付板２０や取付金具２３を介して楕円形状のミラー８を取り付ける。
【００３２】
この時、上端の取付部１９ａが楕円形状のミラー８の上部裏面に位置し、取付部１９ｄがミラー８の下部裏面に位置する状態で取り付けられ、各取付部１９ａ〜１９ｄがミラー８の外周縁からはみ出すことがなくミラー８裏に完全に隠れた状態となる。そして、このパネル本体７ａに前記スライドバー３３や浴室照明装置１２等を取り付けることにより、ミラーパネル７が組み立てられる。なお、このパネル本体７ａへの各部材の取り付けは、この例に限定されず、例えばパネル本体７ａに各付帯器具を取り付けた後に、壁パネル２ｂに組み込む等、他の適宜の取付方法を採用できる。
【００３３】
この壁パネル２ｂに組み付けられたミラーパネル７のミラー８によれば、所定高さの取付部１９ａ〜１９ｄの前面に取り付けられることから、取り付けと同時に、ミラー８をパネル本体７ａの窪み部１８から所定高さ前方である洗い場５方向に浮かせる（入浴者に近づける）ことが可能になる。また、このミラーパネル７は、上下方向における中心線２７ａに対し対称形状に形成されていることから、ミラーパネル７を浴槽４の右側に配置する図１のレイアウトの浴室１には、前述したように設置される。一方、浴槽４がミラーパネル７の右側に位置するレイアウトの浴室１に設置する場合は、パネル本体７を中心位置２６を中心に垂直面内で１８０度回転させて、図６に示す状態にして使用する。
【００３４】
すなわち、パネル本体７ａを１８０度回転させて、左側に収納棚１３を位置させ、この状態でパネル本体７ａの側面３１ｂに壁パネル２ａを当接させる。このレイアウトにおいても、取付部１９ｂ〜１９ｅの下面や落下防止壁２３ｂ（排水溝２４ｂ）及び係合部２５ｂ等を利用して収納棚１３の各棚板１４、１５をそれぞれ取り付けたり、取付部１９ａを利用して水栓操作部９や棚板１５等を取り付けることができる。つまり、取付部１９ａ〜１９ｅを上下方向における中心線２７ａに対して対称形状に形成することで、パネル本体７ａを１８０度回転させた場合に左右方向における中心線２７ｂに対し対称形状となり、一つのミラーパネル７を２つのレイアウトの浴室１に適用できることになる。
【００３５】
このように、上記実施形態のミラーパネル７にあっては、パネル本体７ａに収納棚１３の棚板１４が載置係合されて延設される取付部１９ａ〜１９ｄが一体形成されているため、別部材を使用することなくミラー８を取付部１９ａ〜１９ｄに取り付けるだけで、パネル本体７ａの表面からミラー８を所定高さ浮かせた状態で簡単に取り付けることができる。特に、ミラーパネル７の幅方向の中心部に窪み部１８が設けられ、この窪み部１８に取付部１９ａ〜１９ｄが所定高さで一体形成されていることから、窪み部１８の各種効果を生かしつつミラー８を洗い場５の入浴者に近づけることができて、ミラー８の使い勝手を十分に向上させることが可能になる。
【００３６】
また、ミラー８がパネル本体７ａの前面に所定高さ浮いた状態で取付部１９ａ〜１９ｄに取り付けられるため、ミラー８裏面に形成される空間を収納棚１３の収納空間として有効利用できる。特に、取付部１９ｂ〜１９ｄが水平な平板状に形成されていることから、取付部１９ｂ〜１９ｄの上面に棚板１４の機能を持たせることができて、収納棚１３の棚板面積（収納量）を増大させることができると共に、ミラー８裏面の収納空間内に普段使用しない収納物を洗い場５の入浴者に視認され難い状態で見栄え良く収納できる。
【００３７】
また、取付部１９ｂ〜１９ｄに係合部２５ａが設けられ、この係合部２５ａに棚板１４の一端部１４ａを載置係合することにより、取付部１９ｂ〜１９ｄの上面と棚板１４の上面とが面一状態に設定されると共に、棚板１４の他端部１４ｂが支持杆２８に着脱可能に支持されているため、棚板１４の取付部１９ｂ〜１９ｄへの配置を簡単に行うことができると共に、例えば清掃等のメンテナンス時の取り外しも簡単に行うことができる。
【００３８】
また、棚板１４として機能する取付部１９ｂ〜１９ｄの上下面の端部に排水溝２４ａ、２４ｂを有する落下防止壁２３ａ、２３ｂが設けられているため、収納棚１３の棚板１４（及び取付部１９ｂ〜１９ｄ）上の収納物の棚板１４（及び取付部１９ｂ〜１９ｄ）上からの落下が防止されると共に、落下防止壁２３ａ、２３ｂの排水溝２４ａ、２４ｂによって棚板１４上の水を下方にスムーズに排水することができ、棚板１４の清潔さを良好に維持することができる。これらのことから、ミラーパネル７に使い勝手と見栄えに優れた収納棚１３を簡単に配置することが可能になり、浴室１自体の使い勝手の向上や意匠的価値の一層の向上が図れる。
【００３９】
さらに、パネル本体７ａに一体形成される例えば最下端の取付部１９ｅと最上端の取付部１９ａとにミラー８以外の他の付帯器具である水栓操作部９の取付機能が付与されているため、パネル本体７ａの付加価値を一層高めると共に、水栓操作部９を専用の取付部材を使用することなくパネル本体７ａに取り付けできて、その取付作業の効率化が図れると共に、水栓操作部９の取付部分の見栄えの向上を図ることもできる。
【００４０】
また、取付部１９ａ〜１９ｅをパネル本体７ａの幅方向の中心部分に一体形成すると共に、これら取付部１９ａ〜１９ｅのパネル本体７ａの上下方向における中心線２７ａに対して対称形状に形成しているため、パネル本体７ａを中心位置２６を中心に垂直面内で１８０度回転させて使用することもでき、ミラーパネル７の左側に浴槽４が位置するレイアウトの浴室１であっても、ミラーパネル７の右側に浴槽４が位置するレイアウトの浴室１であっても共に適用することができる。その結果、施工現場の状況やユーザーの要望等に的確に対応できて、汎用性に優れた浴室用のミラーパネル７を得ることができると共に、浴室１で使用されるミラーパネル７自体の部品点数を低減させてその製造を容易に行う等、コスト安価なミラーパネル７を得ることが可能になる。
【００４１】
またさらに、ミラーパネル７が上下対称形状に形成されているため、例えばその側面３１ａ、３１ｂの角部３２を略ピン角に設定することができて、側面３１ａ、３１ｂに当接される壁パネル２ｃ、２ａとの間の隙間発生を抑えることができ、該隙間部分へのシール構造の廃止や簡略化を図ることができると共にその見栄えの向上をも図ることができる。また、取付部１９ｅの上部に着脱可能な点検カバー３０を設けることにより、パネル本体７ａへの配管を容易に行ったりメンテナンス作業を一層容易に行うこと等も可能になる。
【００４２】
なお、上記実施形態においては、取付部１９ａ〜１９ｅを上下方向における中心線２７ａに対して対称形状に形成することにより、パネル本体を１８０度垂直回転させた際にも使用できる形態としたが、本発明はこれに限定されるものではなく、例えば取付部１９ｂ〜１９ｅを図７に示すように構成しても良い。すなわち、取付部１９ｂ〜１９ｄの上面の一端側に排水溝２４ａを有する落下防止壁２３ａを一体形成すると共に、上面の他端側に棚板１４の一端部１４ａが載置係合される係合部２５ａを形成する。このような構成のミラーパネル７においても、図１に示すレイアウトの浴室１に使用することで、上記実施形態のミラーパネル７と略同様の作用効果を得ることができる。
【００４３】
また、上記実施形態においては、ミラーパネル７が窪み部１８と張出部１７ａ、１７ｂを有する表面形状が平面視で略円弧形状である場合について説明したが、例えばパネル本体７ａの表面が平坦な場合にも適用することができる。さらに、上記実施形態においては、上下端部の取付部１９ａ、１９ｅを同一形状に設定し３つの取付部１９ｂ〜１９ｄを同一形状としたが、全ての取付部１９ａ〜１９ｅを同一形状としても良いし、取付部１９ａ〜１９ｅの数（収納棚１３の棚板１４の数）等を増加あるいは減少させることもできるし、その形状も例えば落下防止壁を無くした形状とする等、適宜に変更することができる。さらに、上記実施形態におけるミラー８の形状、棚板１４、１５のパネル本体７ａへの支持構造等も一例であって、本発明に係わる各発明の要旨を逸脱しない範囲において適宜に変更することができる。
【００４４】
【発明の効果】
以上詳述したように、請求項１に記載の発明によれば、ミラーパネルのパネル本体に所定高さのミラー取付部が一体形成されると共に、このミラー取付部に収納棚の棚板部材が延設されるため、ミラー取付部にミラーを取り付けるだけでミラー取付部の高さ分だけミラーをパネル本体から浮かせた状態で取り付けでき、ミラーを洗い場の入浴者に近づいた位置に設定できて、ミラーの使い勝手の十分な向上が図れると共に、ミラー裏面に形成される空間を収納スペースとして有効利用できて、収納棚のスペースを増大させてその使い勝手の向上を図り、かつ常に使用しない収納物をミラー裏面に隠して収納できる等、収納棚部分の見栄えの向上を図ることもできる。
【００４５】
また、請求項２に記載の発明によれば、請求項１に記載の発明の効果に加え、ミラー取付部が水平な平板状に形成されてその上面が棚板部材の機能を有するため、ミラー取付部の面積分収納棚の棚板面積を増大させることができると共に、ミラー裏面の空間を有効利用してミラー取付部の上面に普段使用しない収納物を収納できる等、収納棚の一層の使い勝手の向上を図ることができる。
【００４６】
また、請求項３に記載の発明によれば、請求項１または２に記載の発明の効果に加え、ミラー取付部が棚板部材の端部をミラー取付部の上面と面一状態で係合させる係合部を有するため、棚板部材の着脱が簡単となり、棚板部材の取付作業や清掃時のメンテナンス作業等を容易に行うことができる。
【００４７】
また、請求項４に記載の発明によれば、請求項１ないし３に記載の発明の効果に加え、ミラー取付部に排水溝を有する落下防止壁が設けられているため、この落下防止壁でミラー取付部上に収納された収納物の収納棚外への落下を防止できると共に、排水溝によってミラー取付部や棚板部材上の水を外部にスムーズに排水でき、収納棚のより一層の使い勝手の向上が図れる。
【００４８】
また、請求項５に記載の発明によれば、請求項１ないし４に記載の発明の効果に加え、パネル本体に設けられる複数のミラー取付部が上下方向おける中心線に対し対称形状に形成されているため、パネル本体を垂直面内で１８０度回転させた場合でも、例えば浴槽がミラーパネルの右側に位置するレイアウトの浴室と浴槽が左側に位置するレイアウトの浴室とに共に使用することができると共に、複数のミラー取付部のうちの上下端部のミラー取付部にミラー以外の例えば水栓操作部等を取り付けできて、その取付作業性の向上やミラーパネル自体のデザイン性の向上が図れる等の効果を奏する。
【図面の簡単な説明】
【図１】本発明に係わるミラーパネルを使用した浴室内部の斜視図
【図２】同ミラーパネルの正面図
【図３】同その断面図
【図４】同そのパネル本体の斜視図
【図５】同取付部の拡大斜視図
【図６】同パネル本体の他の使用形態を示す図４と同様の斜視図
【図７】同取付部の変形例を示す図５と同様の斜視図
【符号の説明】
１・・・・・・・・・浴室
２ａ〜２ｄ・・・・・壁パネル
４・・・・・・・・・浴槽
５・・・・・・・・・洗い場
６・・・・・・・・・カウンター
７・・・・・・・・・ミラーパネル
７ａ・・・・・・・・パネル本体
８・・・・・・・・・ミラー
９・・・・・・・・・水栓操作部
９ａ・・・・・・・・吐水口
１０・・・・・・・・水栓本体
１３・・・・・・・・収納棚
１４、１５・・・・・棚板
１７ａ、１７ｂ・・・張出部
１８・・・・・・・・窪み部
１９ａ〜１９ｅ・・・ミラー取付部
２０・・・・・・・・ミラー取付板
２３ａ、２３ｂ・・・落下防止壁
２４ａ、２４ｂ・・・排水溝
２５ａ、２５ｂ・・・係合部
２６・・・・・・・・中心位置
２７・・・・・・・・空間
３０・・・・・・・・点検カバー
【図１】
2004242869.tif 000003
【図２】
2004242869.tif 000004
【図３】
2004242869.tif 000005
【図４】
2004242869.tif 000006
【図５】
2004242869.tif 000007
【図６】
2004242869.tif 000008
【図７】
2004242869.tif 000009